【事件の表示】
　特願２００４−５１０２２９「画素画像データ補正装置及び方法、並びに画像処理装置及び処理システム」拒絶査定不服審判事件〔平成１５年１２月１１日国際公開、ＷＯ０３／１０３２７５、平成１７年　９月２２日国内公表、特表２００５−５２８８５７〕について、次のとおり審決する。
【結　論】
　本件審判の請求は、成り立たない。
【理　由】
第１　経緯
１　経緯
　本願は、２００３年６月４日（パリ条約による優先権主張外国庁受理２００２年６月４日、米国）を国際出願日とする出願であって、平成１７年３月７日付けで手続補正がなされ、平成１９年１１月３０日付けで拒絶理由が通知され、これに対し、平成２０年３月４日付けで意見書が提出されると同時に手続補正がなされたが、平成２０年６月３０日付け（発送日同年７月８日）で拒絶査定がなされたものである
　本件は、本願についてなされた上記拒絶査定を不服として平成２０年１０月６日付けで請求された拒絶査定不服審判であって、同時に手続補正がなされたものである。
　　
２　査定の概要
　原査定の理由は、概略、次のとおりである。
　　
［査定の理由］
理由Ａ
１．この出願の下記の請求項に係る発明は、その出願前に日本国内又は外国において頒布された下記の刊行物に記載された発明であるから、特許法第２９条第１項第３号に該当し、特許を受けることができない。
２．この出願の下記の請求項に係る発明は、その出願前に日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。　
　　
　　　　　　　　　　　　　　　記
　請求項　１，５，１９，２２，２３，２５〜２７，２９，３０，３９〜４１
　引用文献１：特開平４−２３９８８６号公報
　　
理由Ｂ
　この出願の下記の請求項に係る発明は、その出願前に日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。　
　　
　　　　　　　　　　　　　　　記
　請求項　２〜４，６〜１３，２０，２１，２８，３１〜３３，４２〜４９
　引用文献１：特開平４−２３９８８６号公報
　　
理由Ｃ
　この出願は、発明の詳細な説明の記載が下記の点で、特許法第３６条第４項に規定する要件を満たしていない。
　　　　　　　　　　　　　　　記
　この出願の発明の詳細な説明は、当業者が請求項１４、３４に係る発明を実施することができる程度に明確かつ十分に記載されていない。
　また、請求項１４に従属する請求項１５〜１８係る発明、及び、請求項３４に従属する請求項３５〜３８に係る発明も同様に、それらの発明を実施することができる程度に発明の詳細な説明が明確かつ十分に記載されていない。
　　
第２　補正却下の決定
　平成２０年１０月６日付けの手続補正について次のとおり決定する。
 　 
［補正却下の決定の結論］
　平成２０年１０月６日付けの手続補正を却下する。
　　
［理由］
１　補正の内容
　平成２０年１０月６日付けの手続補正（以下「本件補正」という。）は、特許請求の範囲についてする補正である。その詳細は以下のとおりである。
　　
　補正前の請求項１の
「イメージセンサアレイから得られる画像から複数の画像データラインを受けるメモリ回路であって」
を、補正後の請求項１の
「イメージセンサアレイから得られる画像から、少なくとも３つの異なる色を有するカラー画像データを含む画像データの複数の画像データラインを受けるメモリ回路であって」
に補正するものである。
　　
　補正前の請求項６の
「イメージセンサアレイから得られる画像の画像データラインであって、各画像データラインが」
を、補正後の請求項６の
「イメージセンサアレイから得られる画像の画像データのラインである画像データラインであって、画像データは少なくとも３つの異なる色を有するカラー画像データを含むとともに各画像データラインが」
に補正するものである。
　　
　補正前の請求項１１〜１４を削除する補正をするものである。
　　
　補正前の請求項１５〜１８の引用する請求項を、補正前の請求項１４の削除に伴い
「請求項５又は１４」
から、
「請求項５」
に補正するものである。
　　
　補正前の請求項１９の
「信号値を含む画像データの少なくとも３本のラインを」
を、補正後の請求項１４の
「信号値を含むとともに、少なくとも３つの異なる色を有するカラー画像データを含む画像データの少なくとも３本のラインを」
に補正するものである。
　　
　補正前の請求項２０〜２４の引用する請求項を、請求項の削除に伴い補正し、補正後の請求項１５〜１９に補正するものである。
　　
　補正前の請求項２５の
「信号値を含む画像データの少なくとも３本のラインを」
を、補正後の請求項２０の
「信号値を含むとともに、少なくとも３つの異なる色を有するカラー画像データを含む画像データの少なくとも３本のラインを」
に補正するものである。
　　
　補正前の請求項２６〜２９の引用する請求項を、請求項の削除に伴い補正し、補正後の請求項２１〜２４に補正するものである。
　　
　補正前の請求項３０〜３８を削除する補正をするものである。
　　
　補正前の請求項３９、４０の
「イメージセンサアレイから得られる画像の画像データラインであって、各画像データラインが」
を、補正後の請求項２５，２６の
「イメージセンサアレイから得られる画像の画像データのラインである画像データラインであって、画像データは少なくとも３つの異なる色を有するカラー画像データを含むとともに各画像データラインが」
に補正するものである。
　　
　補正前の請求項４１〜４２の引用する請求項を、請求項の削除に伴い補正し、補正後の請求項２７〜２８に補正するものである。
　　
　補正前の請求項４３を削除する補正をするものである。
　　
　補正前の請求項４４の
「信号値を含む画像データの少なくとも３本のラインを」
を、補正後の請求項２９の
「信号値を含むとともに、少なくとも３つの異なる色を有するカラー画像データを含
む画像データの少なくとも３本のラインを」
に補正するものである。
　　
　補正前の請求項４５〜４６の引用する請求項を、請求項の削除に伴い補正し、補正後の請求項３０〜３１に補正するものである。
　　
　補正前の請求項４７の
「イメージセンサアレイから得られる画像の画像データラインであって、各画像データラインが」
を、補正後の請求項３２の
「イメージセンサアレイから得られる画像の画像データのラインである画像データラインであって、画像データは少なくとも３つの異なる色を有するカラー画像データを含むとともに各画像データラインが」
に補正するものである。
　　
　補正前の請求項４８の
「画像を得るとともに、この画像の各ラインに対し信号値を含む画素画像データを有する画像信号を出力するイメージセンサユニット」
を、補正後の請求項３３の
「画像を得るとともに、この画像の各ラインに対し信号値を含むとともに、少なくとも３つの異なる色を有するカラー画像データを含む画素画像データを有する画像信号を出力するイメージセンサユニット」
に補正するものである。
　　
　補正前の請求項４９の
「画像データを受けて処理するプロセッサ」
を、補正後の請求項３４の
「少なくとも３つの異なる色を有するカラー画像データを含む画像データを受けて処理するプロセッサ」
に補正するものである。
 　 
２　補正の適合性 
（１）補正の目的 
　補正前の請求項１１〜１４、３０〜３８、４３を削除する補正は、請求項の削除を目的とするものである。
　補正後の請求項１、６、１４、２０、２５、２６、２９、３２〜３４は、補正前の請求項に記載した発明を特定するために必要な事項を限定するものであって、その補正前の請求項に記載された発明とその補正後の請求項に記載される発明の産業上の利用分野及び解決しようとする課題が同一であり、特許請求の範囲の減縮を目的とするものと認められる。
　補正後の請求項２〜５、７〜１３、１５〜１９、２１〜２４、２７、２８、３０、３１は、他の補正後の請求項を引用するもので、発明の特許請求の範囲の減縮を目的とするものである。
 　 
（２）独立特許要件 
　上記のとおり本件補正は特許請求の範囲の減縮を目的としているので、本件補正後における発明が特許出願の際独立して特許を受けることができるものであるか否かを、以下に検討する。
 　 
（３）補正後発明 
　補正後の請求項１に係る発明、請求項６に係る発明（以下それぞれ「補正後発明１」、「補正後発明６」という。）は、補正後の特許請求の範囲の請求項１、請求項６に記載された下記のとおりのものである。 
　　
　　　　　記（補正後発明１）
「イメージセンサアレイから得られる画像から、少なくとも３つの異なる色を有するカラー画像データを含む画像データの複数の画像データラインを受けるメモリ回路であって、各画像データラインが、イメージセンサアレイ中の画素の１ラインに対応する信号値データを含みうるようにする当該メモリ回路と、
　このメモリ回路から画像データを受ける補正回路であって、イメージセンサアレイ中の検査画素の信号値を、この検査画素と同じ種類の色を有する少なくとも８つの周囲画素の信号値データと比較し、検査画素の信号値が８つの周囲画素の信号値の全てよりも大きい場合には、検査画素の信号値を８つの周囲画素の中から最大の信号値に置き換えるか、或いは、検査画素の信号値が８つの周囲画素の信号値の全てよりも小さい場合には、検査画素の信号値を８つの周囲画素の中から最小の信号値に置き換えるようにする当該補正回路と
を具える画素画像データ補正装置。」
 　 
　　　　　記（補正後発明６）
「イメージセンサアレイから得られる画像の画像データのラインである画像データラインであって、画像データは少なくとも３つの異なる色を有するカラー画像データを含むとともに各画像データラインがそれぞれイメージセンサアレイ中の画素の１ラインに相当する信号値データを含んでいる当該各画像データラインを、各メモリバンクが受けて一時的に記憶するようにした複数のメモリバンクと、
　前記複数のメモリバンクから画像データを受ける各メモリバンクに対する複数の組のシフトレジスタと、
　シフトレジスタの１つの組における画像データ中の検査画素の信号値を検査して、この検査画素の信号値に欠陥があるかどうかを決定し、欠陥が見出された場合に、欠陥のある信号値を補正する補正回路であって、この補正回路は、前記検査画素の信号値を、この検査画素を囲むとともにこの検査画素と同じ種類の色を有する少なくとも８つの画素のそれぞれの信号値と比較することにより、前記検査画素を検査するようにした当該補正回路とを具える画素画像データ補正装置。」
　　
（４）刊行物１の記載 
　原査定の拒絶の理由に引用された特開平４−２３９８８６号公報（上記引用文献１、以下「刊行物１」という。）には、「画像雑音除去装置」（発明の名称）に関し、図面と共に次に掲げる事項が記載されている。 
　　
〈産業上の利用分野〉
「【０００１】
　【産業上の利用分野】
　本発明は、光・電気変換手段を有するビデオカメラ等の画像雑音除去装置に関する。」
　　
〈従来技術〉
「【０００２】
　【従来の技術】
　近年ビデオカメラ等の撮像装置においては、光・電気変換手段として固体撮像素子を用いることが多くなっている。固体撮像素子の出力信号をモニター装置に表示し画像信号を観測すると、画像中に白点（白キズ）、黒点（黒キズ）と呼ばれる画像欠陥が観測されることがある。このような画像欠陥は小さなものでも非常に目立ち、画像欠陥のある撮像素子は製品として使用することができないために歩留りの低下を招くことになる上、製品出荷後にも画像欠陥が生ずることがある。これらの問題は固体撮像素子特有の欠点であり、固体撮像素子を使用する上での大きな障害となっている。
【０００３】
　従来、前記問題点を解決する手段として、例えば、走査線上に隣接する３画素の画素値を元に、中心画素の画素値が他の２画素の画素値よりも大（小）であるとき、中心画素の画素値を他の２画素のうち大きな（小さな）値を持つ画素値に置き換えることで、画像欠陥を取り除く手法が知られている。また、別の手段として、ある走査線上に画像欠陥が検出されたならば、その走査線上の全ての画素を１フィールド（フレーム）前の全画素と置き換える手法も知られている。」
　　
〈発明が解決しようとする課題〉
「【０００４】
　【発明が解決しようとする課題】
　従来の技術によれば、走査線上に隣接する３画素のみに着目する手法では、画像信号を走査線方向のみに観測している点に問題がある。例えば、走査線に対し鉛直方向にシャープな線が含まれていたとすると、走査線方向のみの観測では，それが有為な画像情報である鉛直方向の線分の一部であるか，画像欠陥であるかが判断することができず、有為な画像情報を損なう恐れがある。・・・
【０００５】
　また、画像欠陥の存在する走査線の全画素を１フィールド（フレーム）前の全画素と置き換える手法では、フィールド（フレーム）メモリといった巨大な記憶装置が必要である。さらに、被写体の動きが大きい場合には、フィールド（フレーム）間の画像信号の差が大きくなるため単純に全画素を置き換えたのでは不自然であるため、有効に動作しないといった問題点が残されていた。
【０００６】
　本発明はかかる点に鑑み、縦線やディテール成分のような有意な画像情報を損なうことなく、又、フィールドメモリのような巨大な記憶装置を必要とすることなく、被写体の動きが大きい場合にも、白キズ又は黒キズのようにパルシブな画像欠陥を良好に除去する装置の提供にある。」
　　
〈課題を解決するための手段〉
「【０００７】
　【課題を解決するための手段】
　本発明によれば、数ラインにわたる走査線の画素情報を一次的に保持する手段と注目画素および注目画素の周囲に２次元的に近接する画素値群を複数の出力端子より同時に出力する手段とを合わせ持つ走査線メモリと、近傍画素値群のうち最大および最小の画素値を検出し出力する最大最小値検出器と、近傍画素値群のうち最大の画素値に対し注目画素の画素値が所定の或値以上大であるかあるいは近傍画素値群のうち最小の画素値に対し注目画素の画素値が所定の或値以上小であるかといった比較をすることにより注目画素にノイズが含まれているか否かを判定し判定結果を制御信号として出力するノイズ検出器と、注目画素の画素値と近傍画素値群のうち最大および最小の画素値の３つの画素値から制御信号により何れか一つの画素値を選択し出力する画素値選択器とを少なくとも備えることを特徴とする。」
　　
〈作用〉
「【０００８】
　【作用】
　画像欠陥を除去する際に、画像信号の中からどの画素に画像欠陥が含まれているか判定する必要があるが、除去すべき画像欠陥の判定基準をいたずらに広げてしまうと、画像信号中のディテール成分など有為な画像情報が失われてしまう可能性があるので、画像信号をモニター装置に表示した際、目に付き易い性質を持つ画像欠陥のみを選択的に除去する必要がある。このような性質を持つ画像欠陥として、周囲の画素に対し一点だけが際だって明るい（暗い）画素値を持つ白（黒）キズが挙げられ、本発明では白（黒）キズを選択的に除去する作用を持つことを特徴とする。
【０００９】
　白キズまたは黒キズは前記性質より、キズの周囲の画素の画素値に対して、飛び抜けて明るいか又は暗いかで判定できる。次に、ある画素がキズと判定されたならば、その画素値を周囲の画素値と置き換えるよう作用することで、キズを消し去ることができる。但しここで、周囲の画素間に相関性が認められる場合には、相関性を保った上でキズを消し去る必要がある。ここで相関性に関しては、走査線に対し水平方向のみでなく、鉛直方向あるいは斜方向も考慮する必要がある。これを実現するには、注目画素が白キズと判定されたならば、注目画素の画素値を２次元的な近傍画素値群のうち最大の画素値を持つものと置き換え、注目画素が黒キズと判定されたならば、注目画素の画素値を２次元的な近傍画素値群のうち最小の画素値を持つものと置き換えるよう作用することにより達成される。」
　　
〈実施例〉
「【００１０】
　【実施例】
　以下に本発明の一実施例について図面を参照しながら説明する。（図１）は、本発明における画像雑音除去装置の概略ブロック図である。
【００１１】
　（図１）において走査線メモリは、入力端子１より入力される画像信号ａを取り込み、注目画素の画素値ｂおよび、注目画素を中心に走査線方向にＮ画素、走査線に直交する方向にＭライン分の２次元的に近接する画素群から注目画素を除いたＮ×Ｍ−１画素の画素値よりなる近傍画素値群ｃを出力する。
【００１２】
　（図２）は走査線メモリの詳細な構成例である。（図２）に於ては上記走査線メモリの動作説明の中で、Ｍ＝Ｎ＝３としたときの構成例を示しており、２台のライン遅延器と６台の画素遅延器により構成される。画素遅延器は入力信号を一画素分の走査時間だけ遅延させた信号を出力するものであり、ライン遅延器は入力信号を一水平走査時間だけ遅延させた信号を出力するものである。また、（図６）は走査線上の注目画素と近傍画素群の配置例を示しており、１〜８の数字を付してある画素は近傍画素群を構成し注目画素は近傍画素群の中央に位置する。
【００１３】
　（図２）の入力端子２より入力される画像信号ａは、画素遅延器１に接続され、画素遅延器１の出力は画素遅延器２に接続される。画素遅延器１の入力端と画素遅延器１の出力端と画素遅延器２の出力端の３箇所より信号を取り出せば、それぞれ（図６）の近傍画素８、７、６に相当する位置の画素値が得られる。又、（図２）の入力端子２より入力される画像信号は、ライン遅延器１にも接続され、ライン遅延器１の出力端に画素遅延器３、４を直列に接続すれば、同様に（図６）の近傍画素５、注目画素、近傍画素４に相当する位置の画素値が得られる。さらに、（図２）のライン遅延器１の出力端にはライン遅延器２が接続され、ライン遅延器２の出力端に画素遅延器５、６を直列に接続すれば、同様に（図６）の近傍画素３、２、１に相当する位置の画素値が得られる。以上のような構成による走査線メモリであれば、注目画素の画素値ｂおよび近傍画素群の画素値群ｃを複数の出力端子より同時に出力することができる。
【００１４】
　（図１）において最大最小値検出器は、走査線メモリより同時に出力される近傍画素群の画素値群ｃのうち最大の画素値をＹｍａｘ、および最小の画素値をＹｍｉｎとして出力する。
【００１５】
　（図３）は最大最小値検出器の詳細な構成例である。（図３）に於ては前記走査線メモリの説明に合わせ、近傍画素群が８画素で構成される場合の最大最小値検出器の構成例を示しており、８個の入力端子群を持つ最大値回路と、８個の入力端子群を持つ最小値回路から構成される。最大値回路は、入力される近傍画素値群ｃの中から最大の画素値（Ｙｍａｘ）を抽出し出力する。最小値回路は、入力される近傍画素値群ｃの中から最小の画素値（Ｙｍｉｎ）を抽出し出力する。
【００１６】
　（図１）においてノイズ検出器は、走査線メモリより出力される注目画素の画素値ｂと、最大最小値検出器より出力されるＹｍａｘおよびＹｍｉｎとから、注目画素にノイズが含まれているか否かを判定し判定結果を制御信号として出力する。制御信号はＹｍａｘを選択する信号であるＳＥＬｍａｘとＹｍｉｎを選択する信号であるＳＥＬｍｉｎより構成される。
【００１７】
　（図４）はノイズ検出器の詳細な構成例であり、２台の減算器と、２台の比較器と、２台の或値設定器から構成される。減算器１は注目画素の画素値からＹｍａｘを減じ、その差（以下ＤＩＦｍａｘとする）を生成する。比較器１はＤＩＦｍａｘと或値生成器１より出力される或値（以下ＴＨｍａｘとする）とを比較し、条件１としてＤＩＦｍａｘ＞ＴＨｍａｘであればＹｍａｘを選択する信号ＳＥＬｍａｘをアクティブにし、条件１が成立しない場合にはＳＥＬｍａｘをインアクティブにし出力する。また、減算器２はＹｍｉｎから注目画素の画素値を減じ、その差（以下ＤＩＦｍｉｎとする）を生成する。比較器２はＤＩＦｍｉｎと或値生成器２より出力される或値（以下ＴＨｍｉｎとする）とを比較し、条件２としてＤＩＦｍｉｎ＞ＴＨｍｉｎであればＹｍｉｎを選択する信号ＳＥＬｍｉｎをアクティブにし、条件２が成立しない場合にはＳＥＬｍｉｎをインアクティブにし出力する。
【００１８】
　一般的に、レンズ系および光電変換部の開口率等による空間的ローパスフィルター効果により、光電変換素子の出力である画像信号の高域成分（ディテール）の振幅は小さくなるため、注目画素にパルスノイズが含まれていなければ、注目画素に対する近傍画素群の差分も小さくなると言える。従って、ＴＨｍａｘおよびＴＨｍｉｎは、画素値の最大値に対して過剰に小さく設定すると画像信号のディテール成分が失われる恐れがあり、過剰に大きく設定するとキズそのものが検出できなくなるため、適切な値に設定する必要がある。
【００１９】
　（図１）において画素値選択器は、走査線メモリより出力される注目画素および最大最小値検出器より出力されるＹｍａｘおよびＹｍｉｎと、ノイズ検出器より出力されるＳＥＬｍａｘ、ＳＥＬｍｉｎを入力し、ＳＥＬｍａｘ、ＳＥＬｍｉｎを元に注目画素、Ｙｍａｘ、Ｙｍｉｎのうち何れか一つの画素値を出力端子１に出力する。
【００２０】
　（図５）は画素値選択器の詳細な構成例であり、１台のマルチプレクサから構成される。マルチプレクサは注目画素の画素値、Ｙｍａｘ、Ｙｍｉｎの３信号を入力し、ＳＥＬｍａｘとＳＥＬｍｉｎが共にインアクティブであれば注目画素の画素値を出力端子２に出力し、ＳＥＬｍａｘがアクティブでＳＥＬｍｉｎがインアクティブであればＹｍａｘを出力端子２に出力し、ＳＥＬｍａｘがインアクティブでＳＥＬｍｉｎがアクティブであればＹｍｉｎを出力端子２に出力する。ここで、前記ノイズ検出器の説明から解かるように、ＳＥＬｍａｘおよびＳＥＬｍｉｎを出力する条件から、ＳＥＬｍａｘとＳＥＬｍｉｎが共にアクティブとなることは有り得ない。」
　　
〈発明の効果〉
「【００２７】
　【発明の効果】
　以上の説明から明らかなように、本発明によれば、有意な画像情報を損なうことなく、又、フィールドメモリのような巨大な記憶装置を必要とすることなく、被写体の動きに無関係に、白キズ又は黒キズのようにパルシブな画像欠陥を良好に除去することが可能となり、その実用的効果は大きい。」
　　
（５）補正後発明１と刊行物１に記載された発明との対比・判断
ア　刊行物１に記載された発明 
　図１に示される画像雑音除去装置を刊行物１に記載された発明として認定する。
（ア）走査線メモリ
　「走査線メモリは、入力端子１より入力される画像信号ａを取り込み、注目画素の画素値ｂおよび、注目画素を中心に走査線方向にＮ画素、走査線に直交する方向にＭライン分の２次元的に近接する画素群から注目画素を除いたＮ×Ｍ−１画素の画素値よりなる近傍画素値群ｃを出力する」（段落【００１１】）ものであり、複数のライン遅延器と複数の画素遅延器により構成され、「画素遅延器は入力信号を一画素分の走査時間だけ遅延させた信号を出力するものであり、ライン遅延器は入力信号を一水平走査時間だけ遅延させた信号を出力するものである。」（段落【００１２】）
　刊行物１に記載された画像雑音除去装置は、固体撮像素子の画素欠陥を良好に除去する装置である（段落【０００２】〜【０００６】）から、刊行物１発明の「入力端子１に入力される画像信号ａ」は、固体撮像素子からの画像信号である。
　　
（イ）最大最小値検出器
　「最大最小値検出器は、走査線メモリより同時に出力される近傍画素群の画素値群ｃのうち最大の画素値をＹｍａｘ、および最小の画素値をＹｍｉｎとして出力する」（段落【００１４】）ものである。
　　
（ウ）ノイズ検出器
　「ノイズ検出器は、走査線メモリより出力される注目画素の画素値ｂと、最大最小値検出器より出力されるＹｍａｘおよびＹｍｉｎとから、注目画素にノイズが含まれているか否かを判定し判定結果を制御信号として出力」し、「制御信号はＹｍａｘを選択する信号であるＳＥＬｍａｘとＹｍｉｎを選択する信号であるＳＥＬｍｉｎより構成される」（段落【００１６】）ものである。
　　
「（図４）はノイズ検出器の詳細な構成例であり、・・・減算器１は注目画素の画素値からＹｍａｘを減じ、その差（以下ＤＩＦｍａｘとする）を生成する。比較器１はＤＩＦｍａｘと或値生成器１より出力される或値（以下ＴＨｍａｘとする）とを比較し、条件１としてＤＩＦｍａｘ＞ＴＨｍａｘであればＹｍａｘを選択する信号ＳＥＬｍａｘをアクティブにし、条件１が成立しない場合にはＳＥＬｍａｘをインアクティブにし出力する。また、減算器２はＹｍｉｎから注目画素の画素値を減じ、その差（以下ＤＩＦｍｉｎとする）を生成する。比較器２はＤＩＦｍｉｎと或値生成器２より出力される或値（以下ＴＨｍｉｎとする）とを比較し、条件２としてＤＩＦｍｉｎ＞ＴＨｍｉｎであればＹｍｉｎを選択する信号ＳＥＬｍｉｎをアクティブにし、条件２が成立しない場合にはＳＥＬｍｉｎをインアクティブにし出力する。」（段落【００１７】）
「一般的に、レンズ系および光電変換部の開口率等による空間的ローパスフィルター効果により、光電変換素子の出力である画像信号の高域成分（ディテール）の振幅は小さくなるため、注目画素にパルスノイズが含まれていなければ、注目画素に対する近傍画素群の差分も小さくなると言える。従って、ＴＨｍａｘおよびＴＨｍｉｎは、画素値の最大値に対して過剰に小さく設定すると画像信号のディテール成分が失われる恐れがあり、過剰に大きく設定するとキズそのものが検出できなくなるため、適切な値に設定する必要がある。」（段落【００１８】）
と記載されいる。特に、「ＴＨｍａｘおよびＴＨｍｉｎは、画素値の最大値に対して過剰に小さく設定すると画像信号のディテール成分が失われる恐れがあり、過剰に大きく設定するとキズそのものが検出できなくなるため、適切な値に設定する必要がある。」（段落【００１８】）の記載から、画像信号のディテール成分が失われる恐れがあるものの、ＴＨｍａｘ、ＴＨｍｉｎを０と設定した（過剰に小さく設定した）技術が開示されていると認められる。この場合においても、白キズ、黒キズのような画像欠陥が除去されることは明らかである。
　したがって、注目画素が近傍画素群の画素値群のｃのうち最大の画素値Ｙｍａｘより大きい場合（ＤＩＦｍａｘ＞０）は、最大の画素値Ｙｍａｘを出力し、注目画素が近傍画素群の画素値群のｃのうち最小の画素値Ｙｍｉｎより小さい場合（ＤＩＦｍｉｎ＞０））は、最小の画素値Ｙｍｉｎを出力することが開示されていると認められる。
　　
　以上より、ノイズ検出器は、「走査線メモリより出力される注目画素の画素値ｂと、最大最小値検出器より出力されるＹｍａｘおよびＹｍｉｎとから、注目画素の画素値ｂがＹｍａｘより大きい場合にＹｍａｘを選択する信号であるＳＥＬｍａｘを制御信号として出力し、注目画素の画素値ｂがＹｍｉｎより小さい場合にＹｍｉｎを選択する信号であるＳＥＬｍｉｎを制御信号として出力する」ものである。
　　
（エ）画素値選択器
　「画素値選択器は、走査線メモリより出力される注目画素および最大最小値検出器より出力されるＹｍａｘおよびＹｍｉｎと、ノイズ検出器より出力されるＳＥＬｍａｘ、ＳＥＬｍｉｎを入力し、ＳＥＬｍａｘ、ＳＥＬｍｉｎを元に注目画素、Ｙｍａｘ、Ｙｍｉｎのうち何れか一つの画素値を・・・出力する」（段落【００１９】）ものであり、「ＳＥＬｍａｘとＳＥＬｍｉｎが共にインアクティブであれば注目画素の画素値を・・・出力し、ＳＥＬｍａｘがアクティブでＳＥＬｍｉｎがインアクティブであればＹｍａｘを・・・に出力し、ＳＥＬｍａｘがインアクティブでＳＥＬｍｉｎがアクティブであればＹｍｉｎを・・・出力する」（段落【００２０】）ものである。
　　
（オ）刊行物１に記載された発明
　以上より、刊行物１には、以下の発明（以下「刊行物１発明」という。）が記載されていると認められる。
　　
「固体撮像素子から入力端子１より入力される画像信号ａを取り込み、注目画素の画素値ｂおよび、注目画素を中心に走査線方向にＮ画素、走査線に直交する方向にＭライン分の２次元的に近接する画素群から注目画素を除いたＮ×Ｍ−１画素の画素値よりなる近傍画素値群ｃを出力する走査線メモリであって、走査線メモリは、複数のライン遅延器と複数の画素遅延器により構成され、画素遅延器は入力信号を一画素分の走査時間だけ遅延させた信号を出力するものであり、ライン遅延器は入力信号を一水平走査時間だけ遅延させた信号を出力するものである走査線メモリと、
　走査線メモリより同時に出力される近傍画素群の画素値群ｃのうち最大の画素値をＹｍａｘ、および最小の画素値をＹｍｉｎとして出力する最大最小値検出器と、
　走査線メモリより出力される注目画素の画素値ｂと、最大最小値検出器より出力されるＹｍａｘおよびＹｍｉｎとから、注目画素の画素値ｂがＹｍａｘより大きい場合にＹｍａｘを選択する信号であるＳＥＬｍａｘを制御信号として出力し、注目画素の画素値ｂがＹｍｉｎより小さい場合にＹｍｉｎを選択する信号であるＳＥＬｍｉｎを制御信号として出力するノイズ検出器と、
　走査線メモリより出力される注目画素および最大最小値検出器より出力されるＹｍａｘおよびＹｍｉｎと、ノイズ検出器より出力されるＳＥＬｍａｘ、ＳＥＬｍｉｎを入力し、ＳＥＬｍａｘ、ＳＥＬｍｉｎを元に注目画素、Ｙｍａｘ、Ｙｍｉｎのうち何れか一つの画素値を出力し、ＳＥＬｍａｘとＳＥＬｍｉｎが共にインアクティブであれば注目画素の画素値を出力し、ＳＥＬｍａｘがアクティブでＳＥＬｍｉｎがインアクティブであればＹｍａｘを出力し、ＳＥＬｍａｘがインアクティブでＳＥＬｍｉｎがアクティブであればＹｍｉｎを出力する画素値選択器と
　を具える画像雑音除去装置。」
　　
イ　補正後発明１と刊行物１発明との対比 
（ア）「メモリ回路」
　固体撮像素子は、「イメージセンサアレイ」といえ、固体撮像素子からの画像信号は、「イメージセンサアレイから得られる画像の画像データ」といえる。
　刊行物１発明の「走査線メモリ」は、「メモリ回路」といえる。刊行物１発明における「画像データ」といえる「画像信号」は、「カラー画像信号」ではなく、「画像データは少なくとも３つの異なる色を有するカラー画像データを含む」といえず、補正後発明１の「メモリ回路」と相違する。
　さらに、刊行物１発明の「走査線メモリ」は、「固体撮像素子から入力端子１より入力される画像信号ａを取り込」むものであり、固体撮像素子、すなわちイメージセンサアレイは、通常行毎に、すなわちライン毎にデータを出力するものであり、画像に必要な固体撮像素子の全ての行のデータを出力するものであるからるから、「イメージセンサアレイから得られる画像から、画像データの複数の画像データラインを受けるメモリ回路」といえ、「各画像データラインが、イメージセンサアレイ中の画素の１ラインに対応する信号値データを含」むものといえる。
　したがって、刊行物１発明の「走査線メモリ」は、「イメージセンサアレイから得られる画像から、画像データの複数の画像データラインを受けるメモリ回路であって、各画像データラインが、イメージセンサアレイ中の画素の１ラインに対応する信号値データを含みうるようにする当該メモリ回路」といえる。もっとも、「画像データ」が、「画像データは少なくとも３つの異なる色を有するカラー画像データ」でない点で、補正後発明１と相違する。
　　
（イ）「補正回路」
　刊行物１発明は、
「走査線メモリより同時に出力される近傍画素群の画素値群ｃのうち最大の画素値をＹｍａｘ、および最小の画素値をＹｍｉｎとして出力する最大最小値検出器と、
　走査線メモリより出力される注目画素の画素値ｂと、最大最小値検出器より出力されるＹｍａｘおよびＹｍｉｎとから、注目画素の画素値ｂがＹｍａｘより大きい場合にＹｍａｘを選択する信号であるＳＥＬｍａｘを制御信号として出力し、注目画素の画素値ｂがＹｍｉｎより小さい場合にＹｍｉｎを選択する信号であるＳＥＬｍａｘを制御信号として出力するノイズ検出器と、
　走査線メモリより出力される注目画素および最大最小値検出器より出力されるＹｍａｘおよびＹｍｉｎと、ノイズ検出器より出力されるＳＥＬｍａｘ、ＳＥＬｍｉｎを入力し、ＳＥＬｍａｘ、ＳＥＬｍｉｎを元に注目画素、Ｙｍａｘ、Ｙｍｉｎのうち何れか一つの画素値を出力し、ＳＥＬｍａｘとＳＥＬｍｉｎが共にインアクティブであれば注目画素の画素値を出力し、ＳＥＬｍａｘがアクティブでＳＥＬｍｉｎがインアクティブであればＹｍａｘを出力し、ＳＥＬｍａｘがインアクティブでＳＥＬｍｉｎがアクティブであればＹｍｉｎを出力する画素値選択器」
を具えている。
　上記「最大最小値検出器」、「ノイズ検出器」、「画素値選択装置」は、注目画素の画素値ｂが近傍画素群の画素値群ｃの最大の画素値Ｙｍａｘより大きい場合にＹｍａｘを出力し、注目画素の画素値ｂが近傍画素群の画素値群ｃの最小の画素値Ｙｍｉｎより小さい場合にＹｍｉｎを出力するものである。
　注目画素の画素値ｂは、Ｙｍａｘ、Ｙｍｉｎと比較されるものであるから、注目画素は検査画素といえ、検査画素の信号値を検査しているといえる。
　また、刊行物１発明における上記「最大最小値検出器」、「ノイズ検出器」、「画素値選択装置」は、「走査線メモリ」より出力される画素値を用いるものであり、「走査線メモリ」は、「注目画素を中心に走査線方向にＮ画素、走査線に直交する方向にＭライン分の２次元的に近接する画素群から注目画素を除いたＮ×Ｍ−１画素の画素値よりなる近傍画素値群ｃを出力する」ものである。刊行物１の段落【００１２】には、「Ｍ＝Ｎ＝３」についての記載があり、これは注目画素と８つの近傍画素についての記載である。
　そうすると、上記「最大最小値検出器」、「ノイズ検出器」、「画素値選択装置」は、注目画素と８つの近傍画素を用いて検査しているといえる。
　そして、「注目画素の画素値ｂが近傍画素群の画素値群ｃの最大の画素値Ｙｍａｘより大きい場合にＹｍａｘを出力」することは、「注目画素の画素値ｂが近傍画素群の画素値群の画素値の全てより大きい場合にＹｍａｘを出力」することといえ、「注目画素の画素値ｂが近傍画素群の画素値群ｃの最小の画素値Ｙｍｉｎより小さい場合にＹｍｉｎを出力する」ことは、「注目画素の画素値ｂが近傍画素群の画素値群の画素値の全てより小さい場合にＹｍｉｎを出力する」といえる。
　したがって、上記「最大最小値検出器」、「ノイズ検出器」、「画素値選択装置」は、
「このメモリ回路から画像データを受ける補正回路であって、イメージセンサアレイ中の検査画素の信号値を、この検査画素と少なくとも８つの周囲画素の信号値データとを用い、検査画素の信号値が８つの周囲画素の信号値の全てよりも大きい場合には、検査画素の信号値を８つの周囲画素の中から最大の信号値に置き換えるか、或いは、検査画素の信号値が８つの周囲画素の信号値の全てよりも小さい場合には、検査画素の信号値を８つの周囲画素の中から最小の信号値に置き換えるようにする当該補正回路」といえる。
　もっとも、「少なくとも８つの周囲画素の信号値」が、刊行物１発明においては、「同じ種類の色を有（する）」していない点で、補正後発明１と相違し、
　「検査画素と少なくとも８つの周囲画素の信号値データとを用い」ることが、刊行物１発明においては、検査画素と少なくとも８つの周囲画素の信号値データと「比較」していない点で、補正後発明１と相違する。
　　
（ウ）「画素画像データ補正装置」
　刊行物１発明は、上記（イ）のとおり、画素画像データを補正するので、「画素画像データ補正装置」といえる。
　　
ウ　一致点、相違点 
　そうすると、補正後発明１と刊行物１発明との一致点、相違点は次のとおりである。
 　 
［一致点］ 
　イメージセンサアレイから得られる画像から、画像データの複数の画像データラインを受けるメモリ回路であって、各画像データラインが、イメージセンサアレイ中の画素の１ラインに対応する信号値データを含みうるようにする当該メモリ回路と、
　このメモリ回路から画像データを受ける補正回路であって、イメージセンサアレイ中の検査画素の信号値を、この検査画素と少なくとも８つの周囲画素の信号値データとを用い、検査画素の信号値が８つの周囲画素の信号値の全てよりも大きい場合には、検査画素の信号値を８つの周囲画素の中から最大の信号値に置き換えるか、或いは、検査画素の信号値が８つの周囲画素の信号値の全てよりも小さい場合には、検査画素の信号値を８つの周囲画素の中から最小の信号値に置き換えるようにする当該補正回路と
を具える画素画像データ補正装置。
　　
［相違点１］
　「画像データ」が、補正後発明１においては、「少なくとも３つの異なる色を有するカラー画像データ」であるのに対し、刊行物１発明においては、そうではなく、
　この相違に伴い、「補正回路」における「少なくとも８つの周囲画素」が、補正後発明１においては「同じ種類の色を有する」ものであるのに対し、刊行物１発明においては、そうではない点。
　　
［相違点２］
　「検査画素と少なくとも８つの周囲画素とを用い」ることが、補正後発明１においては、「検査画素と少なくとも８つの周囲画素とを比較（し、）」するのに対し、刊行物１発明においてはそうではない点。
　　
エ　相違点の判断等 
（ア）相違点１について 
　イメージセンサアレイとして、３つの異なる色を有するカラー画像データを出力するものは周知であるから、刊行物１発明における「固体撮像素子」を周知の３つの異なる色を有するカラー画像データを出力するイメージセンサアレイに置き換えることは、当業者が容易になし得ることである。その際、「補正回路」における検査を検査画素と同じ種類の色を有する８つの画素を用いて行うようにすることは自然なことであり、そのようにすることは、当業者が容易になし得ることである。
　　
（イ）相違点２について
　刊行物１発明は、注目画素の値と近傍画素値群とから注目画素の値を近傍画素値群の最大値又は最小値にするか、すなわち注目画素の値を補正するかを、近傍画素値群の最大値、最小値を検出し、注目画素の値と該最大値、最小値の差を求めて、この差に基づいて判定している。
　注目画素の値が近傍画素値群の最大値より大きいか、注目画素の値が近傍画素値群の最小値より小さいか、どちらでもないのかを判定するのに、近傍画素値群の最大値、最小値を直接求めるのではなく、注目画素の値と近傍画素値群それぞれの値と差を求め、この差に基づいて判定できることは明らかである。すなわち、注目画素の値が近傍画素群のそれぞれの値より全て大きい場合が、注目画素の値が近傍画素群の最大値より大きい場合であり、注目画素の値が近傍画素群のそれぞれの値より全て小さい場合が、注目画素の値が近傍画素群の最小値より小さい場合である。
　そうすると、刊行物１発明において、「検査画素と少なくとも８つの周囲画素とを比較（し、）」するようにすることは、当業者にとって容易である。
　また、上記（ア）のとおり、刊行物１発明における「固体撮像素子」を周知の３つの異なる色を有するカラー画像データを出力するイメージセンサアレイに置き換えることは、当業者が容易になし得ることであり、上記イメージセンサアレイに置き換えることにより、画像データは、「少なくとも３つの異なる色を有するカラー画像データ」となることは明らかであり、「補正回路」における検査を検査画素と同じ種類の色を有する８つの画素を用いて行うようにすることは自然なことであり、そのようにすることは、当業者が容易になし得ることであるから、刊行物１発明を「この検査画素と同じ種類の色を有する少なくとも８つの周囲画素とを比較（し、）」するようにすることは、当業者にとって容易である。
　　
（ウ）その他
　上記イの対比においては、「画像データ」が「画像データは少なくとも３つの異なる色を有するカラー画像データ」でない点を除き、刊行物１発明の「走査線メモリ」が補正後発明１の「メモリ回路」と、一致するとしたが、メモリ回路の構成が、刊行物１発明においては、走査線メモリが複数のライン遅延器と複数の画素遅延器により構成されている点で、補正後発明１の「メモリ回路」と相違するとも認定できる。
　この点について検討すると、刊行物１発明の複数のライン遅延器と複数の画素遅延器により構成されている「走査線メモリ」は画像データを記憶するものであるから、上記「走査線メモリ」に代えて周知のメモリとすることは当業者が容易になし得ることである。
　　
（エ）効果等 
　以上のように、相違点１〜２に係る構成はいずれも当業者が容易に想到できたものである。そして、これらの相違点に係る構成を総合しても、補正後発明１が奏する効果は、当業者が容易に予測できたものである。
　したがって、補正後発明１は、刊行物１に記載された発明及び周知技術に基づいて当業者が容易に発明することができたものであるから、特許法２９条２項の規定により特許出願の際独立して特許を受けることができない。 
　よって、本件補正は特許法１７条の２第５項において準用する同法１２６条５項の規定に反している。 
　　
（６）補正後発明６と刊行物１に記載された発明との対比・判断
ア　刊行物１に記載された発明 
　図１に示される画像雑音除去装置を刊行物１に記載された発明として認定する。
（ア）走査線メモリ
　「走査線メモリは、入力端子１より入力される画像信号ａを取り込み、注目画素の画素値ｂおよび、注目画素を中心に走査線方向にＮ画素、走査線に直交する方向にＭライン分の２次元的に近接する画素群から注目画素を除いたＮ×Ｍ−１画素の画素値よりなる近傍画素値群ｃを出力する」（段落【００１１】）ものであり、複数のライン遅延器と複数の画素遅延器により構成され、「画素遅延器は入力信号を一画素分の走査時間だけ遅延させた信号を出力するものであり、ライン遅延器は入力信号を一水平走査時間だけ遅延させた信号を出力するものである。」（段落【００１２】）
　刊行物１に記載された画像雑音除去装置は、固体撮像素子の画素欠陥を良好に除去する装置である（段落【０００２】〜【０００６】）から、刊行物１発明の「入力端子１に入力される画像信号ａ」は、固体撮像素子からの画像信号である。
　　
（イ）最大最小値検出器
　「最大最小値検出器は、走査線メモリより同時に出力される近傍画素群の画素値群ｃのうち最大の画素値をＹｍａｘ、および最小の画素値をＹｍｉｎとして出力する」（段落【００１４】）ものである。
　　
（ウ）ノイズ検出器
　「ノイズ検出器は、走査線メモリより出力される注目画素の画素値ｂと、最大最小値検出器より出力されるＹｍａｘおよびＹｍｉｎとから、注目画素にノイズが含まれているか否かを判定し判定結果を制御信号として出力」し、「制御信号はＹｍａｘを選択する信号であるＳＥＬｍａｘとＹｍｉｎを選択する信号であるＳＥＬｍｉｎより構成される」（段落【００１６】）ものである。
　　
（エ）画素値選択器
　「画素値選択器は、走査線メモリより出力される注目画素および最大最小値検出器より出力されるＹｍａｘおよびＹｍｉｎと、ノイズ検出器より出力されるＳＥＬｍａｘ、ＳＥＬｍｉｎを入力し、ＳＥＬｍａｘ、ＳＥＬｍｉｎを元に注目画素、Ｙｍａｘ、Ｙｍｉｎのうち何れか一つの画素値を・・・出力する」（段落【００１９】）ものであり、「ＳＥＬｍａｘとＳＥＬｍｉｎが共にインアクティブであれば注目画素の画素値を・・・出力し、ＳＥＬｍａｘがアクティブでＳＥＬｍｉｎがインアクティブであればＹｍａｘを・・・出力し、ＳＥＬｍａｘがインアクティブでＳＥＬｍｉｎがアクティブであればＹｍｉｎを・・・出力する」（段落【００２０】）ものである。
　　
（オ）刊行物１に記載された発明
　以上より、刊行物１には、以下の発明（以下「刊行物１発明２」という。）が記載されていると認められる。
　　
「固体撮像素子から入力端子１より入力される画像信号ａを取り込み、注目画素の画素値ｂおよび、注目画素を中心に走査線方向にＮ画素、走査線に直交する方向にＭライン分の２次元的に近接する画素群から注目画素を除いたＮ×Ｍ−１画素の画素値よりなる近傍画素値群ｃを出力する走査線メモリであって、走査線メモリは、複数のライン遅延器と複数の画素遅延器により構成され、画素遅延器は入力信号を一画素分の走査時間だけ遅延させた信号を出力するものであり、ライン遅延器は入力信号を一水平走査時間だけ遅延させた信号を出力するものである走査線メモリと、
　走査線メモリより同時に出力される近傍画素群の画素値群ｃのうち最大の画素値をＹｍａｘ、および最小の画素値をＹｍｉｎとして出力する最大最小値検出器と、
　走査線メモリより出力される注目画素の画素値ｂと、最大最小値検出器より出力されるＹｍａｘおよびＹｍｉｎとから、注目画素にノイズが含まれているか否かを判定し判定結果を制御信号として出力し、制御信号はＹｍａｘを選択する信号であるＳＥＬｍａｘとＹｍｉｎを選択する信号であるＳＥＬｍｉｎより構成されるノイズ検出器と、
　走査線メモリより出力される注目画素および最大最小値検出器より出力されるＹｍａｘおよびＹｍｉｎと、ノイズ検出器より出力されるＳＥＬｍａｘ、ＳＥＬｍｉｎを入力し、ＳＥＬｍａｘ、ＳＥＬｍｉｎを元に注目画素、Ｙｍａｘ、Ｙｍｉｎのうち何れか一つの画素値を出力し、ＳＥＬｍａｘとＳＥＬｍｉｎが共にインアクティブであれば注目画素の画素値を出力し、ＳＥＬｍａｘがアクティブでＳＥＬｍｉｎがインアクティブであればＹｍａｘを出力し、ＳＥＬｍａｘがインアクティブでＳＥＬｍｉｎがアクティブであればＹｍｉｎを出力する画素値選択器と
　を具える画像雑音除去装置。」
　　
イ　補正後発明６と刊行物１発明２との対比 
（ア）「複数のメモリバンク」、「複数組のシフトレジスタ」
　固体撮像素子は、「イメージセンサアレイ」といえ、固体撮像素子からの画像信号は、「イメージセンサアレイから得られる画像の画像データ」といえる。
　刊行物１発明２は、「走査線メモリ」を具えているものの、刊行物１発明２における「画像データ」といえる「画像信号」は、「カラー画像信号」ではなく、「画像データは少なくとも３つの異なる色を有するカラー画像データを含む」といえず、
　さらに、刊行物１発明２は、
「画像データラインであって、各画像データラインがそれぞれイメージセンサアレイ中の画素の１ラインに相当する信号値データを含んでいる当該各画像データラインを、各メモリバンクが受けて一時的に記憶するようにした複数のメモリバンクと、
　前記複数のメモリバンクから画像データを受ける各メモリバンクに対する複数の組のシフトレジスタ」
とを具えていない点で補正後発明６と相違する。
　　
（イ）「補正回路」
　ａ　刊行物１発明２は、
「走査線メモリより同時に出力される近傍画素群の画素値群ｃのうち最大の画素値をＹｍａｘ、および最小の画素値をＹｍｉｎとして出力する最大最小値検出器と、
　走査線メモリより出力される注目画素の画素値ｂと、最大最小値検出器より出力されるＹｍａｘおよびＹｍｉｎとから、注目画素にノイズが含まれているか否かを判定し判定結果を制御信号として出力し、制御信号はＹｍａｘを選択する信号であるＳＥＬｍａｘとＹｍｉｎを選択する信号であるＳＥＬｍｉｎより構成されるノイズ検出器と、
　走査線メモリより出力される注目画素および最大最小値検出器より出力されるＹｍａｘおよびＹｍｉｎと、ノイズ検出器より出力されるＳＥＬｍａｘ、ＳＥＬｍｉｎを入力し、ＳＥＬｍａｘ、ＳＥＬｍｉｎを元に注目画素、Ｙｍａｘ、Ｙｍｉｎのうち何れか一つの画素値を出力し、ＳＥＬｍａｘとＳＥＬｍｉｎが共にインアクティブであれば注目画素の画素値を出力し、ＳＥＬｍａｘがアクティブでＳＥＬｍｉｎがインアクティブであればＹｍａｘを出力し、ＳＥＬｍａｘがインアクティブでＳＥＬｍｉｎがアクティブであればＹｍｉｎを出力する画素値選択器と」
を具えている。
　上記「最大最小値検出器」、「ノイズ検出器」、「画素値選択装置」は、注目画素の画素値ｂを最大最小値検出回路より出力されるＹｍａｘおよびＹｍｉｎとから、注目画素にノイズが含まれているか否かを判定し判定結果を制御信号として出力し、制御信号ＳＥＬｍａｘまたはＳＥＬｍｉｎがアクティブの場合（ノイズが含まれている場合）、ＹｍａｘまたはＹｍｉｎを出力するものである。
　注目画素の画素値ｂは、注目画素にノイズが含まれているか否かを判定されるから、注目画素は検査画素といえ、検査画素の信号値を検査しているといえる。
　したがって、上記「最大最小値検出器」、「ノイズ検出器」、「画素値選択装置」は、
「画像データ中の検査画素の信号値を検査して、この検査画素の信号値に欠陥があるかどうかを決定し、欠陥が見出された場合に、欠陥のある信号値を補正する補正回路」といえる。
　もっとも、刊行物１発明２は、「シフトレジスタ」を具えていないから、「画像データ」が、「シフトレジスタの１つの組における画像データ」ではない点で、補正後発明６と相違する。
　　
　ｂ　刊行物１発明２における上記「最大最小値検出器」、「ノイズ検出器」、「画素値選択装置」は、「走査線メモリ」より出力される画素値を用いるものであり、「走査線メモリ」は、「注目画素を中心に走査線方向にＮ画素、走査線に直交する方向にＭライン分の２次元的に近接する画素群から注目画素を除いたＮ×Ｍ−１画素の画素値よりなる近傍画素値群ｃを出力する」ものである。刊行物１の段落【００１２】には、「Ｍ＝Ｎ＝３」についての記載があり、これは注目画素と８つの近傍画素についての記載である。
　そうすると、上記「最大最小値検出器」、「ノイズ検出器」、「画素値選択装置」は、注目画素と８つの近傍画素を用いて検査しているといえるから、「前記検査画素の信号値を、この検査画素を囲むとともにこの検査画素と少なくとも８つの画素を用いて前記検査画素を検査するようにした当該補正回路」といえる。
　もっとも、刊行物１発明２における「画像データ」は、「カラー画像データ」ではないから、「少なくとも８つの画素」が「同じ種類の色を有する少なくとも８つの画素」でない点で、補正後発明６と相違し、
「少なくとも８つの画素を用いて前記検査画素を検査する」ことが、刊行物発明においては「８つの画素のそれぞれの信号値と比較することにより」検査をしていない点で、補正後発明６と相違する。
　　
（ウ）「画素画像データ補正装置」
　刊行物１発明２は、上記（イ）のとおり、画素画像データを補正するので、「画素画像データ補正装置」といえる。
　　
ウ　一致点、相違点 
　そうすると、補正後発明６と刊行物１発明２との一致点、相違点は次のとおりである。
 　 
［一致点］ 
　イメージセンサアレイから得られる画像の画像データ中の検査画素の信号値を検査して、この検査画素の信号値に欠陥があるかどうかを決定し、欠陥が見出された場合に、欠陥のある信号値を補正する補正回路であって、この補正回路は、前記検査画素の信号値を、この検査画素を囲むとともにこの検査画素と少なくとも８つの画素を用いて前記検査画素を検査するようにした当該補正回路と
　を具える画素画像データ補正装置。
　　
［相違点１］
　「画像データ」が、補正後発明６においては、「少なくとも３つの異なる色を有するカラー画像データ」であるのに対し、刊行物１発明２においては、そうではなく、
　この相違に伴い、「補正回路」における「８つの画素」が、補正後発明６においては「同じ種類の色を有する」ものであるのに対し、刊行物１発明２においては、そうではない点。
　　
［相違点２］
　「イメージセンサアレイから得られる画像の画像データ」が、
　補正後発明６においては、
「画像データのラインである画像データラインであって、各画像データラインがそれぞれイメージセンサアレイ中の画素の１ラインに相当する信号値データを含んでいる当該各画像データラインを、各メモリバンクが受けて一時的に記憶するようにした複数のメモリバンクと、
　前記複数のメモリバンクから画像データを受ける各メモリバンクに対する複数の組のシフトレジスタと、
　シフトレジスタの１つの組における」画像データ
であるのに対し、刊行物１発明２においてはそうではない点。
　　
［相違点３］
　「検査画素と少なくとも８つの画素を用いて前記検査画素を検査する」ことが、補正後発明６においては、「８つの画素のそれぞれの信号値と比較することにより」検査するのに対し、刊行物１発明２においてはそうではない点。
　　
エ　相違点の判断等 
（ア）相違点１について 
　イメージセンサアレイとして、３つの異なる色を有するカラー画像データを出力するものは周知であるから、刊行物１発明２における「固体撮像素子」を周知の３つの異なる色を有するカラー画像データを出力するイメージセンサアレイに置き換えることは、当業者が容易になし得ることである。その際、「補正回路」における検査を検査画素と同じ種類の色を有する８つの画素を用いて行うようにすることは自然なことであり、そのようにすることは、当業者が容易になし得ることである。
　　
（イ）相違点２について
　刊行物１発明２の「走査線メモリ」は、
「固体撮像素子から入力端子１より入力される画像信号ａを取り込み、注目画素の画素値ｂおよび、注目画素を中心に走査線方向にＮ画素、走査線に直交する方向にＭライン分の２次元的に近接する画素群から注目画素を除いたＮ×Ｍ−１画素の画素値よりなる近傍画素値群ｃを出力する走査線メモリであって、走査線メモリは、複数のライン遅延器と複数の画素遅延器により構成され、画素遅延器は入力信号を一画素分の走査時間だけ遅延させた信号を出力するものであり、ライン遅延器は入力信号を一水平走査時間だけ遅延させた信号を出力するものである」。
　すなわち、「走査線メモリ」は、固体撮像素子からの画像信号を取り込み、注目画素を中心に走査線方向にＮ画素、走査線に直交する方向にＭライン分の２次元的に近接する画素群から注目画素を除いたＮ×Ｍ−１画素の画素値よりなる近傍画素値群ｃを出力する
ものである。
　近傍画素値群を得るために、Ｍライン分のデータをメモリに記憶し、記憶した画素値から、近傍画素群のＮ×Ｍ−１画素の画素値を得るために、シフトレジスタを用いることは、当業者が容易になし得ることである。そして、Ｍライン分のデータを記憶するメモリをＭ個の１ライン分のメモリで構成できることは明らかである。
　また、固体撮像素子、すなわちイメージセンサアレイは、通常行毎に、すなわちライン毎にデータを読み出すものである。
　そうすると、刊行物１発明２の注目画素の値と近傍画素群を出力する「走査線メモリ」に代えて、複数の１ライン分のメモリ及び複数のシフトレジスタを用いて、
「画像データのラインである画像データラインであって、各画像データラインがそれぞれイメージセンサアレイ中の画素の１ラインに相当する信号値データを含んでいる当該各画像データラインを、各メモリバンクが受けて一時的に記憶するようにした複数のメモリバンクと、
　前記複数のメモリバンクから画像データを受ける各メモリバンクに対する複数の組のシフトレジスタと、
　シフトレジスタの１つの組における」画像データ中の検査画素の信号値を検査するようにすることは、当業者にとって容易である。
　また、上記（ア）のとおり、刊行物１発明２における「固体撮像素子」を周知の３つの異なる色を有するカラー画像データを出力するイメージセンサアレイに置き換えることは、当業者が容易になし得ることであり、上記イメージセンサアレイに置き換えることにより、画像データは、「少なくとも３つの異なる色を有するカラー画像データ」となることは明らかであるから、刊行物１発明２を
「イメージセンサアレイから得られる画像の画像データのラインである画像データラインであって、画像データは少なくとも３つの異なる色を有するカラー画像データを含むとともに各画像データラインがそれぞれイメージセンサアレイ中の画素の１ラインに相当する信号値データを含んでいる当該各画像データラインを、各メモリバンクが受けて一時的に記憶するようにした複数のメモリバンクと、
　前記複数のメモリバンクから画像データを受ける各メモリバンクに対する複数の組のシフトレジスタと、
　シフトレジスタの１つの組における」画像データ中の検査画素の信号値を検査するようにすることは、当業者にとって容易である。
　　
（ウ）相違点３について
　刊行物１発明２は、注目画素の値と近傍画素値群とから注目画素の値を近傍画素値群の最大値又は最小値にするか、すなわち注目画素の値を補正するかを、近傍画素値群の最大値、最小値を検出し、注目画素の値と該最大値、最小値の差を求めて、この差に基づいて判定している。
　注目画素の値が近傍画素値群の最大値より大きいか、注目画素の値が近傍画素値群の最小値より小さいか、どちらでもないのかを判定するのに、近傍画素値群の最大値、最小値を直接求めるのではなく、注目画素の値と近傍画素値群それぞれの値と差を求め、この差に基づいて判定できることは明らかである。すなわち、注目画素の値が近傍画素群のそれぞれの値より全て大きい場合が、注目画素の値が近傍画素群の最大値より大きい場合であり、注目画素の値が近傍画素群のそれぞれの値より全て小さい場合が、注目画素の値が近傍画素群の最小値より小さい場合である。
　そうすると、上記イ（イ）ｂのとおり、近傍画素群は８つの画素といえるから、刊行物１発明２において、「８つの画素のそれぞれの信号値と比較することにより」検査するようにすることは、当業者にとって容易である。
　また、上記（ア）のとおり、刊行物１発明２における「固体撮像素子」を周知の３つの異なる色を有するカラー画像データを出力するイメージセンサアレイに置き換えることは、当業者が容易になし得ることであり、上記イメージセンサアレイに置き換えることにより、画像データは、「少なくとも３つの異なる色を有するカラー画像データ」となることは明らかであり、「補正回路」における検査を検査画素と同じ種類の色を有する８つの画素を用いて行うようにすることは自然なことであり、そのようにすることは、当業者が容易になし得ることであるから、刊行物１発明２を「この検査画素と同じ種類の色を有する少なくとも８つの画素のそれぞれの信号値と比較することにより」検査するようにすることは、当業者にとって容易である。
　　
（エ）効果等 
　以上のように、相違点１〜３に係る構成はいずれも当業者が容易に想到できたものである。そして、これらの相違点に係る構成を総合しても、補正後発明６が奏する効果は、当業者が容易に予測できたものである。
　したがって、補正後発明６は、刊行物１に記載された発明及び周知技術に基づいて当業者が容易に発明することができたものであるから、特許法２９条２項の規定により特許出願の際独立して特許を受けることができない。 
　よって、本件補正は特許法１７条の２第５項において準用する同法１２６条５項の規定に反している。 
 　 
３　まとめ 
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　よって、補正却下の決定の結論のとおり決定する。 
 　 
第３　本願発明について 
１　本願発明 
　平成２０年１０月６日付けの手続補正は、上記のとおり却下されたので、本願の請求項１に係る発明は、平成２０年３月４日付け手続補正により補正された明細書及び図面の記載からみて、その特許請求の範囲の各請求項に記載した事項により特定されるとおりのものであるところ、請求項１、６に係る発明（以下それぞれ「本願発明１」、「本願発明６」という。）は下記のとおりである。 
　　
　　　　　記（本願発明１）
「イメージセンサアレイから得られる画像から複数の画像データラインを受けるメモリ回路であって、各画像データラインが、イメージセンサアレイ中の画素の１ラインに対応する信号値データを含みうるようにする当該メモリ回路と、
　このメモリ回路から画像データを受ける補正回路であって、イメージセンサアレイ中の検査画素の信号値を、この検査画素と同じ種類の色を有する少なくとも８つの周囲画素の信号値データと比較し、検査画素の信号値が８つの周囲画素の信号値の全てよりも大きい場合には、検査画素の信号値を８つの周囲画素の中から最大の信号値に置き換えるか、或いは、検査画素の信号値が８つの周囲画素の信号値の全てよりも小さい場合には、検査画素の信号値を８つの周囲画素の中から最小の信号値に置き換えるようにする当該補正回路と
を具える画素画像データ補正装置。」
　　　
　　　　　記（本願発明６）
「イメージセンサアレイから得られる画像の画像データラインであって、各画像データラインがそれぞれイメージセンサアレイ中の画素の１ラインに相当する信号値データを含んでいる当該各画像データラインを、各メモリバンクが受けて一時的に記憶するようにした複数のメモリバンクと、
　前記複数のメモリバンクから画像データを受ける各メモリバンクに対する複数の組のシフトレジスタと、
　シフトレジスタの１つの組における画像データ中の検査画素の信号値を検査して、この検査画素の信号値に欠陥があるかどうかを決定し、欠陥が見出された場合に、欠陥のある信号値を補正する補正回路であって、この補正回路は、前記検出画素の信号値を、この検査画素を囲むとともにこの検査画素と同じ種類の色を有する少なくとも８つの画素のそれぞれの信号値と比較することにより、前記検出画素を検査するようにした当該補正回路とを具える画素画像データ補正装置。」
　　
２　引用文献
　原査定の拒絶の理由に引用された引用文献１の記載事項は、上記第２の２（４）に記載したとおりである。 
 　 
３　本願発明１と引用文献１に記載された発明との対比・判断
　本願発明１は、補正後発明１の
「イメージセンサアレイから得られる画像から、少なくとも３つの異なる色を有するカラー画像データを含む画像データの複数の画像データラインを受けるメモリ回路」
における「少なくとも３つの異なる色を有するカラー画像データを含む画像データ」の
「少なくとも３つの異なる色を有するカラー画像データを含む」の限定をなくしたものであり、その他は補正後発明１と同じである。
　引用文献１に記載された発明は、上記第２の２（５）ア（オ）に記載した刊行物１発明と同じである。
　本願発明１を限定した補正後発明１は、上記第２の２（５）のとおり、引用文献１に記載された発明及び周知技術により当業者が容易に発明できたものであるから、同じの理由により本願発明１は、引用文献１に記載された発明及び周知技術により当業者が容易に発明できたものである。
　　
４　本願発明６と引用文献１に記載された発明との対比・判断
　本願発明６は、補正後発明６の
「イメージセンサアレイから得られる画像の画像データのラインである画像データラインであって、画像データは少なくとも３つの異なる色を有するカラー画像データを含むとともに各画像データラインがそれぞれイメージセンサアレイ中の画素の１ラインに相当する信号値データを含んでいる当該各画像データライン」
における「画像データのラインである画像データライン」の「画像データのラインである」の限定をなくし、さらに、「画像データは少なくとも３つの異なる色を有するカラー画像データを含むとともに各画像データラインが」の「画像データは少なくとも３つの異なる色を有するカラー画像データを含むとともに」の限定をなくしたものであり、その他は補正後発明１と同じである。
　引用文献１に記載された発明は、上記第２の２（６）ア（オ）に記載した刊行物１発明２と同じである。
　本願発明６を限定した補正後発明６は、上記第２の２（６）のとおり、引用文献１に記載された発明及び周知技術により当業者が容易に発明できたものであるから、同じの理由により本願発明１は、引用文献１に記載された発明及び周知技術により当業者が容易に発明できたものである。
　　
５　むすび 
　以上のとおり、本願の請求項１、６に係る発明は、引用文献１に記載された発明及び周知技術に基づいて当業者が容易に発明することができたものであるから、特許法２９条２項の規定により、特許を受けることができない。
　したがって、残る請求項２〜５、７〜４９に係る発明について検討するまでもなく、本願は拒絶されるべきものである。
　　
　よって、結論のように審決する。